(57)【特許請求の範囲】
【請求項１】
両端部に排水本管との主接続部を有し、側部に排水枝管との枝管接続部を有する桝本体の前記枝管接続部の差口外面に、継手部材の一端部の受口内面がその軸心の周りにシール用のゴム輪を介して水密状に回動可能に嵌着されて連結されてなる排水桝において、
前記継手部材の正逆方向の回動を規制する回動規制部が、前記枝管接続部の差口外面と継手部材の受口内面との間に設けられ、
この回動規制部よりも継手部材の受口奥側に位置する枝管接続部の差口外面に設けられた環状溝に、前記シール用のゴム輪が装着され、
前記回動規制部が、枝管接続部の差口外面と継手部材の受口内面とのいずれか一方に設けられた対向する一対の係止リブと、他方に設けられた前記一対の係止リブの間を回動する係止リブとからなり、
これらの係止リブは軸心方向に沿う四角板状であり、
継手部材が一対の係止リブ間で約１８０度の範囲内で回動可能となされている
ことを特徴とする排水桝。
【請求項２】
前記回動規制部となる係止リブの他方の係止リブと当接する係止リブ周方向側面が逆傾斜面となされている請求項１記載の排水桝。
【請求項３】
前記継手部材が４５度エルボ継手であり、
このエルボ継手を桝本体の枝管接続部に対して正逆方向に約１８０度回動させることによって、エルボ継手の他端部の向きを桝本体の主軸に対して平行または直交にできるようにされている請求項１又は２記載の排水桝。
【発明の詳細な説明】
【０００１】
【発明の属する技術分野】
本発明は、一つのもので二種類のタイプの排水桝を兼用でき、特に狭い敷地の宅地内において好適に設置することができる排水桝に関する。
【０００２】
【従来の技術】
従来の兼用できる排水桝として、たとえば特開平７−８３３７７号公報において、４５度エルボ継手の一端を桝本体の分岐流入口側の端部外面に回動可能に連結したものが開示されている。
【０００３】
具体的には、図５および図６に示すように、ます本体１ａの主軸ａ上に、上下流用受口３ａ，３ａを設け、この主軸ａに直交して地表側に点検筒用受口６ａを設け、ます本体１ａの側部に分流管用受口を設けた塩ビ製小口径桝において、ます本体１ａの主軸ａに対して上流側に４５度傾斜した副軸ｂ上に、その切口ｅが主軸ａに対して４５度傾斜した分流管用接続口１２ａを設け、この分流管用接続口１２ａに１８０度の範囲で正逆転可能で、かつ、エルボ受口１４ａを分流管用受口とする４５度エルボ１３ａを接続し、このエルボ受口１４ａの向きを、主軸ａに対して平行または直交に構成できるようにしたものである。
【０００４】
ところで、この小口径桝においては、４５度エルボ１３ａが１８０度の範囲で正逆転を行なえるように、４５度エルボ１３ａのエルボ側舌片１８ａのある開口端縁に１８０度にわたって切欠２２ａを設け、一方、分流管用接続口１２ａの当接部２１ａの側部に、上記切欠２２ａの段部が当接するストッパー用突起２０ａを設けている。このため、図５に示すように、分流管用接続口１２ａの当接部２１ａの開口端側の側面と上記４５度エルボ１３ａの切欠２２ａとの間に、１８０度にわたって隙間Ｓが存在することになる。
【０００５】
このため、小口径桝を埋設施工する際に、隙間Ｓ内に土砂などが入り込んで、所定の角度調整を行なえなかったり、あるいは、配管勾配を確保できないという問題があった。
【０００６】
上記隙間Ｓ内に土砂などが入り込むのを防止できるようにした排水桝として、たとえば特開２０００−２９１１２３公報にて開示されているものがある。
この排水桝は、図７〜図９に示すように、両端部に排水本管６との受口２１を有し、側部に排水枝管７との差口３１を有する桝本体１の差口３１の端部外面に、エルボ継手４の一端部内面がその軸心の周りに回動可能に水密状に嵌着されて連結され、エルボ継手４の正逆方向の回動を規制する三角リブ３６ａと突条４４ａからなる回動規制部が、差口３１の端部外面とエルボ継手４の一端部内面との連結部の内部に設けられているものである。
【０００７】
【発明が解決しようとする課題】
しかしながら、上記特開２０００−２９１１２３公報に開示の排水桝では、図８に示すように、エルボ継手４の一端部側の先端にシール用のゴム輪３４が設置されているため、たとえば図１０に示すように、エルボ継手４を無理に曲げて配管施工した場合、エルボ継手４の一端部内面が曲がり方向の外側が外方へ膨らむため、ゴム輪３４の圧縮率が局部的に低下して止水性が低下するという問題があった。また、三角リブ３６ａと突条４４ａが寸法的にも小さいので、配管施工時に、エルボ継手４の正逆方向の回動に過度の力が作用すると、エルボ継手４の突条４４ａが桝本体１の差口３１の三角リブを乗り越えて、所定の位置で回動を止めることができず、角度設定をうまく行なえない場合もある。
【０００８】
なお、この場合、ゴム輪３４の体積を増やすことで、ある程度止水性の低下を防止することは可能であるが、逆にゴム輪３４の体積を増やすことで圧縮率が上昇するので、エルボ継手４の正逆方向の回動操作がやりにくくなって、配管施工性が低下することになる。
【０００９】
本発明の目的は、土砂などの入り込みによって、４５度エルボの角度設定が阻害されず、しかも、施工の際に無理な曲げ配管を行なっても、連結接続部の止水性を低下させることなく、容易に埋設施工を行なえる排水桝を提供することである。
【００１０】
【課題を解決するための手段】
請求項１記載の本発明は、両端部に排水本管との主接続部を有し、側部に排水枝管との枝管接続部を有する桝本体の前記枝管接続部の差口外面に、継手部材の一端部の受口内面がその軸心の周りにシール用のゴム輪を介して水密状に回動可能に嵌着されて連結されてなる排水桝において、前記継手部材の正逆方向の回動を規制する回動規制部が、前記枝管接続部の差口外面と継手部材の受口内面との間に設けられ、この回動規制部よりも継手部材の受口奥側に位置する枝管接続部の差口外面に設けられた環状溝に、前記シール用のゴム輪が装着され、前記回動規制部が、枝管接続部の差口外面と継手部材の受口内面とのいずれか一方に設けられた対向する一対の係止リブと、他方に設けられた前記一対の係止リブの間を回動する係止リブとからなり、これらの係止リブは軸心方向に沿う四角板状であり、継手部材が一対の係止リブ間で約１８０度の範囲内で回動可能となされているものである。
【００１１】
請求項２記載の本発明は、請求項１記載の排水桝において、回動規制部となる係止リブの他方の係止リブと当接する係止リブ周方向側面が逆傾斜面となされているものである。
【００１２】
また、請求項３記載の本発明は、請求項１又は２記載の排水桝において、継手部材が４５度エルボ継手であり、このエルボ継手を桝本体の枝管接続部に対して正逆方向に約１８０度回動させることによって、エルボ継手の他端部の向きを桝本体の主軸に対して平行または直交にできるようにされているものである。
【００１３】
請求項１〜３記載の本発明の排水桝においては、継手部材の正逆方向の回動を規制する回動規制部が、枝管接続部の差口外面と継手部材の受口内面との間に設けられているので、排水桝を埋設施工する際に、回動規制部に土砂などが入り込むことがない。このため、継手部材の回動が阻害されず、角度設定や配管勾配の確保を容易に行なうことができる。
【００１４】
また、シール用のゴム輪が、回動規制部よりも継手部材の受口奥側に位置する枝管接続部の差口外面に設けられた環状溝に装着されているので、継手部材を無理に曲げて配管施工しても、シール用のゴム輪の圧縮率は実質的に影響を受けず、止水性は低下しない。
【００１５】
また、請求項３記載の本発明の排水桝においては、継手部材が４５度エルボ継手であり、このエルボ継手を桝本体の枝管接続部に対して正逆方向に約１８０度回動させることによって、エルボ継手の他端部の向きを桝本体の主軸に対して平行または直交にできる。このため、一つの排水桝にて二種類のタイプの排水桝として兼用することができ、好適なものである。
【００１６】
【発明の実施の形態】
以下、本発明の実施の形態の一例を図面に基づいて説明する。
図１は本発明の排水桝の一例を示す要部拡大断面図、図２は図１のＸ−Ｘ断面図、図３は図２の一部を拡大して示す部分断面図、図４は使用状態の要部拡大断面図である。
【００１７】
本発明の排水桝の外観形態などは上記図７にて示した従来の排水桝と基本的にはほぼ同一であるので、同図を援用して説明する。
図７に示すように、１は硬質塩化ビニル樹脂製の桝本体であり、主管部２の両端部に排水本管６，６が接続される受口２１，２１を有している。桝本体１の片側の側部には、一端部が差口３１とされた枝管接続部３が主管部２の軸心に対して４５度方向に向けて一体に突設されている。４は４５度曲がりのエルボ継手である継手部材であり、その両端部はともに受口４１，４２とされている。継手部材（エルボ継手）４の受口４１が桝本体１の枝管接続部３の差口３１と嵌着されることで、排水桝とされている。なお、５は点検用立ち上がり管（図示せず）の下端部が接続される点検筒受口、ａは主管部２の軸心、ｂは枝管接続部３の軸心、７は排水枝管である。
【００１８】
次に、桝本体１から一体に突設される枝管接続部３の差口３１に継手部材４（以下、エルボ継手４として説明する）の一方の受口４１が嵌着されている状態を図１〜３に基づいて説明する。
【００１９】
枝管接続部３の差口３１の先端側の外周面には、断面コ字状の環状溝３２が設けられ、この環状溝３２にシール用のゴム輪３４が装着されている。環状溝３２よりもエルボ継手４の受口４１の先端側に位置している差口３１の外面には全周にわたって環状溝状の段部３５が設けられ、この段部３５の円周上の対向する２箇所には、図２に示すように、四角板状の係止リブ３６、３６が軸心方向に沿って設けられている。この係止リブ３６の高さは、エルボ継手４の受口４１の内周面に設けられる係止リブ４４の高さとほぼ同一とされている。
枝管接続部３の差口３１にエルボ継手４の受口４１が嵌着された状態で、係止リブ４４は対向する２箇所の係止リブ３６、３６の間で約１８０度正逆方向に回動し、係止リブ４４と３６とが当接した状態で、回動が係止されるようになっている。
【００２０】
４３はエルボ継手の内面に突設された係止片で、周方向の４箇所に設けられている。この係止片４３は上記差口３１の段部３５の側面３５１に係止されて、エルボ継手４が枝管接続部３から抜け出すのを防止している。
係止片４３は受口４１の先端側が傾斜面となされていて、枝管接続部３の差口３１にエルボ継手４の受口４１を強制的に嵌合し易くなされている。
エルボ継手４の受口４１の先端側内面の１箇所には、四角板状の係止リブ４４が軸心方向に沿って設けられている。この係止リブ４４も係止片４３と同様に、受口４１の先端側が傾斜面となされていて、枝管接続部３の差口３１にエルボ継手４の受口４１を強制的に嵌合し易くなされている。
【００２１】
そして、図２に示すように、桝本体１の枝管接続部３の差口３１にエルボ継手４の受口４１を強制嵌合して両者を連結した状態において、桝本体１の枝管接続部３に対して、エルボ継手４を正逆方向に約１８０度回動することで、エルボ継手４の他端側の受口４２の向きを桝本体１の主軸ａに対して平行、あるいは、直交にすることができる（図７を参照）。
このとき、エルボ継手を１８０度回動させるためには、枝管接続部３の差口３１の外面に設けられる一対の係止リブ３６、３６の角度は、エルボ継手４の受口４１内面に設けられる係止片４４の当接するの面の角度が１８０度＋係止片４４の周方向の厚みとなるようにすればよい。
【００２２】
その際、差口３１の段部３５に設けた係止リブ３６の片面に、エルボ継手４の受口４１の内面に設けた係止リブ４４の片面が当接して係止することで、エルボ継手４の正逆方向の回動が規制されることになる。この場合、係止リブ３６と係止リブ４４がともに横長の四角板状のものであるので、両係止リブの当接面積が広くなり、エルボ継手４の正逆方向の回動規制を確実に行なえる。
【００２３】
また、係止リブ４４と係止リブ３６との当接面は、中心軸から放射方向に向く面となされていると、リブ同志が面に垂直に当接するので、エルボ継手の回動規制を確実に行うことができる。しかし、過大の回動力が作用すると、係止リブ３６または係止リブ４４が変形して、係止リブ４４が係止リブ３６を乗り越えてしまい、回動規制を行えない場合がある。
【００２４】
これを確実に防止するためには、図３に示すように、係止リブ４４と係止リブ３６のそれぞれの当接面側の側面を逆傾斜面４４１および３６１とすれば、回動力の作用で両者がかみ合って、係止リブ４４および係止リブ３６の変形を防止し、過大な回動力が作用しても、エルボ継手４の受口４１の拡径を防ぎ、係止リブ４４が係止リブ３６を乗り越えることを確実に防止できる。
【００２５】
そして、回動規制部を構成している両係止リブ３６，４４がともに連結部の内側、つまり、枝管接続部３の差口３１外面とエルボ継手４の受口４１内面との間に設けられて存在しているので、排水桝を埋設して設置する際に、土砂などが連結部の奥部側まで入り込むことはない。このため、エルボ継手４の回動が阻害されず、エルボ継手４の受口４２に接続する排水枝管７の配管勾配を容易に設定することができる。
【００２６】
また、枝管接続部３の差口３１の先端側に設けられた環状溝３２にシール用のゴム輪３４が装着されている、つまり、ゴム輪３４がエルボ継手４の受口４１の奥側に存在しているので、桝本体１の差口３１にエルボ継手４の一端側の受口４１を嵌合して両者を連結したのち、エルボ継手４の他端側の受口４２に排水枝管７の端部を挿入接続する際に、たとえば図４に示すように、ある程度エルボ継手４を無理に曲げて配管施工しても、ゴム輪４の圧縮率は実質的に変化しないので、接続部の止水性は影響を受けない。しかも、両係止リブ３６，４４がともに横長で高さのある四角板状のものであるので、両係止リブの当接面積が広くなり、エルボ継手４の正逆方向の回動規制を確実に行なえる。
【００２７】
上記実施例では、回動規制部を構成している両係止リブを、枝管接続部３の差口３１側に２個、エルボ継手４の受口４１側に１個設けたが、これとは逆に、差口３１側に１個、受口４１側に２個設けるようにしてもよい。
【００２８】
また、エルボ継手は４５度曲がりのものに代えて２２．５度曲がりのものとしてもよい。この場合、桝本体１の側部に突設される枝管接続部３が、主管部２の軸心ａに対して２２．５度方向に設けられていると、エルボ継手の排水枝管７との接続方向は、主管部ａに対して平行および４５度方向に向けることができる。また、枝管接続部３が、主管部２の軸心ａに対して６７．５度方向に設けられていると、エルボ継手の排水枝管７との接続方向は、主管部ａに対して直角および４５度方向に向けることができる。
【００２９】
また、枝管接続部３は、桝本体１の両側部に設けられていて、桝本体１の両側から排水が流入するようになされていてもよい。
排水桝は塩化ビニル樹脂以外の合成樹脂材料製のものでもよい。
【００３０】
【発明の効果】
本発明においては、継手部材の正逆方向の回動を規制する回動規制部が、枝管接続部の差口外面と継手部材の受口内面との間に設けられているので、埋設施工の際に、回動規制部に土砂などが入り込まないので、継手部材の回動が阻害されることなく、角度や配管勾配の設定を迅速かつ容易に行うことができる。
【００３１】
また、回動規制部よりも継手部材の受口奥側に位置する枝管接続部の差口外面に設けられた環状溝にシール用のゴム輪が装着されているので、継手部材をある程度無理に曲げて配管施工しても、シール用のゴム輪の圧縮率は影響を受けず、連結接続部の止水性は良好に保持される。
【００３２】
また、本発明においては、回動規制部が、枝管接続部の差口外面と継手部材の受口内面とのいずれか一方に設けられた対向する一対の係止リブと、他方に設けられた前記一対の係止リブの間を回動する係止リブとからなり、これらの係止リブは軸心方向に沿う四角板状であり、継手部材を一対の係止リブ間で約１８０度の範囲内で回動可能となされているので、四角板状の係止リブ同志が当接し、回動規制が確実となる。
特に、回動規制部となる係止リブの他方の係止リブと当接する係止リブ周方向側面が逆傾斜面となされているものにおいては、回動力の作用で両係止リブがかみ合って、両係止リブの変形を防止し、過大な回動力が作用しても、継手部材の拡径を防ぎ、一方の係止リブが他方の係止リブを乗り越えることを確実に防止できる。
【００３３】
また、請求項３記載の本発明においては、４５度エルボ継手を桝本体の枝管接続部に対して正逆方向に約１８０度回動させることによって、エルボ継手の他端部の向きを桝本体の主軸に対して平行または直交にできることで、一つの排水桝にて二種類のタイプの排水桝として兼用することができ、好適なものである。
【図面の簡単な説明】
【図１】本発明の排水桝の一例を示す要部拡大断面図である。
【図２】図１のＸ−Ｘ断面図である。
【図３】図２の一部を拡大して示す部分断面図である。
【図４】本発明の使用状態の要部拡大断面図である。
【図５】従来の排水桝を示す平面図である。
【図６】図５の要部を示す分解拡大断面図である。
【図７】従来の他の排水桝を示す平面図である。
【図８】図７の要部を示す拡大断面図である。
【図９】図８の要部拡大斜視図である。
【図１０】図７の排水桝の使用態様を示す説明図である。
【符号の説明】
１      桝本体
２      主管部
２１    受口
３      枝管接続部
３１    差口
３２    環状溝
３４    シール用のゴム輪
３５    段部
３６    係止リブ
３６１  逆傾斜面
４      継手部材（エルボ継手）
４１，４２    受口
４３    係止片
４４    係止リブ
４４１  逆傾斜面
５      点検用受口
６      排水本管
７      排水枝管
【図１】
0004498640.tif 000002
【図２】
0004498640.tif 000003
【図３】
0004498640.tif 000004
【図４】
0004498640.tif 000005
【図５】
0004498640.tif 000006
【図６】
0004498640.tif 000007
【図７】
0004498640.tif 000008
【図８】
0004498640.tif 000009
【図９】
0004498640.tif 000010
【図１０】
0004498640.tif 000011